(57)【要約】      （修正有）【課題】粘着テープの一部分を折り返せ、かつスイッチの切り替えで、粘着テープを切断するたびにテープの一部分を連続して折り返せるテープカッターである。【解決手段】架台１の支点軸２に粘着テープ２０を支えるリール３を設け、反対側に設けた支点軸４に支点軸中心に半回転するアーム５を設け、アーム先端に粘着テープを切断する刃６を設ける。支点軸４の上方に支点軸８を設け、粘着テープを支える支え９を設ける。支点軸８の上方に支点軸１０を設け、支点軸にぶら下がる形で粘着テープを押さえるコマ１１を設ける。コマの上方には、コマの回転を制限するストッパー１２を設ける。コマには永久磁石１３を、アームには永久磁石１３と引き合う永久磁石１４を設ける。アームの下方にアームの回転を制限する支点軸１５とコマ１６を設ける。コマには、互いに引き合う永久磁石１７、１８を設ける。粘着テープはコマと支えの間を通し、刃６で切断する。【選択図】図１
2015160746.tif 000002
【特許請求の範囲】
【請求項１】
架台（１）の一端に支点軸（２）を設け、支点軸（２）にリール（３）を設け、反対側に支点軸（４）を設け、支点軸（４）にアーム（５）を設け、アーム（５）の先端に刃（６）と支え（７）を設ける。支点軸（４）の上方に支点軸（８）を設け、支点軸（８）に支え（９）を設ける。支点軸（８）の上方に支点軸（１０）を設け、支点軸（１０）にコマ（１１）を設ける。コマ（１１）の上方には、ストッパー（１２）を設ける。コマ（１１）に、永久磁石（１３）を設け、永久磁石（１３）と引き合う形でアーム（５）に永久磁石（１４）を設ける。アーム（５）の下方に支点軸（１５）を設け、支点軸（１５）にコマ（１６）を設ける。コマ（１６）には、互いに引き合う形で永久磁石（１７）と永久磁石（１８）を設け、支点軸（１５）が架台（１）の外側に出た部分にツマミ（１９）を設ける。
以上のよう構成によりなるテープカッター。
【発明の詳細な説明】
【技術分野】
【０００１】  この発明は、粘着テープを剥がしやすくするために、粘着テープの一部分を折り返すことができるテープカッターに関するものである。
【背景技術】
【０００２】  粘着テープという道具は便利であり、広く使用されている。しかしながら、いざ粘着テープを剥がすとなると剥がしにくく、剥がしやすくするために、粘着テープの一部分を折り返してから貼る人も多い。
【先行技術文献】
【０００３】
【非特許文献１】  特開２００２−１４５５１１
【発明の概要】
【発明が解決しようとする課題】
【０００４】  （イ）書店や衣料品店など、ビニール系の袋で包装する店舗は多い。しかし、商品購入後、袋を開ける際に、袋を止めている粘着テープがはがしにくく、袋を破ってしまったり、ビニール袋が粘着テープと一緒に伸びたりして開けにくい。顧客サービスを重視する店などは、袋を粘着テープで止める際に粘着テープを折り返してお客が剥がしやすくしている店もある。しかしながら、全ての客にこれを行うには大変な手間である。
（ロ）これまで、粘着テープの一端を折り返すテープカッターは多く特許申請がなされているが、広く普及したものはない。前記の特開２００２−１４５５１１は、シンプルであるが常に粘着テープが折り返され、折り返さない普通のテープカッターに切り替えることができない。
そこで、本発明の解決しようとする課題は、一般に普及しているテープカッターと同様に使え、粘着テープを剥がしやすくするときは、粘着テープの一部分を、折り返すことができ、また連続して折り返しが必要なときはスイッチひとつの切り替えで、粘着テープを切断するたびにテープの一部分を、折り返すことがでる、シンプルで製造コストの小さい、電力などの動力も必要としない、テープカッターを開発することである。
【課題を解決するための手段】
【０００５】  架台（１）の一端に支点軸（２）を設け、支点軸（２）にリール（３）を設け、反対側に支点軸（４）を設け、支点軸（４）にアーム（５）を設け、アーム（５）の先端に刃（６）と支え（７）を設ける。支点軸（４）の上方に支点軸（８）を設け、支点軸（８）に支え（９）を設ける。支点軸（８）の上方に支点軸（１０）を設け、支点軸（１０）にコマ（１１）を設ける。コマ（１１）の上方には、ストッパー（１２）を設ける。コマ（１１）に、永久磁石（１３）を設け、永久磁石（１３）と引き合う形でアーム（５）に永久磁石（１４）を設ける。アーム（５）の下方に支点軸（１５）を設け、支点軸（１５）にコマ（１６）を設ける。コマ（１６）には、互いに引き合う形で永久磁石（１７）と永久磁石（１８）を設け、支点軸（１５）が架台（１）の外側に出た部分にツマミ（１９）を設ける。粘着テープ（２０）はコマ（１１）と支え（９）の間を通して刃（６）で切断する。
本発明は、以上のような構成によりなるテープカッターである。
【発明の効果】
【０００６】  普段は、図２のように、アーム（５）が磁力によりコマ（１６）に接した状態で、一般的に普及している普通のテープカッターと同様の使い方で使用できる。折り返しを作るときは、アーム（５）の先端部分を指で上方に持ち上げると、図３のように、磁力によりアーム（５）が支え（９）を挟んでコマ（１１）に接して、支え（７）とコマ（１１）の間に粘着テープのループ（２１）ができる。図４のように、粘着テープのループ（２１）をつまんで引くと、コマ（１１）が持ち上がることで、磁石が離れ、アーム（５）が重力により下方に下がり、磁力によって再びコマ（１６）に固定され、粘着テープ（２０）を刃（６）で自由な長さに切断することで一部分を折り返したテープ片ができ、図２と同じ、元の普通のテープカッターの状態に戻る。
このように、必要な時にアーム（５）を指で持ち上げるだけで粘着テープの一部分を折り返せるテープカッターとなる。
また、ツマミ（１９）を回し、コマ（１６）を半回転させと、今度は永久磁石（１８）と永久磁石（１４）が反発して、アーム（５）を跳ね上げ、図３と同じ状態になり、支え（７）とコマ（１１）の間で粘着テープのループ（２１）ができる。
粘着テープのループ（２１）をつまんで引くと、図４と同じ状態となり、コマ（１１）が持ち上がり、アーム（５）が下がり、図５と同じように、粘着テープ（２０）を自由な長さで切断すると、アーム（５）はコマ（１６）に一度は接するが、磁力の反発で、すぐに跳ね上げられ、再び支え（７）とコマ（１１）の間に、粘着テープのループ（２１）でき、図３の状態となる。
このように、テープを切断する動作を繰り返すだけで、一部分を折り返した粘着テープ片を連続して作ることができるテープカッターになる。
【図面の簡単な説明】
【０００７】
【図１】  本発明の斜視図である。
【図２】  本発明の主要部分、普通のテープカッターと同じ状態の時の側面図である。
【図３】  本発明の主要部分、粘着テープのループができた時の側面図である。
【図４】  本発明の主要部分、粘着テープをつまんで引いた時の側面図である。
【図５】  本発明の主要部分、粘着テープを切断する時の側面図である。
【発明を実施するための形態】
【０００８】  以下、本発明を実施するための形態について説明する。
架台（１）の一端に支点軸（２）を設け、支点軸（２）を中心に回転する粘着テープを支えるリール（３）を設け、反対側に支点軸（４）を設け、支点軸（４）に支点軸（４）を中心に半回転するアーム（５）を設け、アームの先端に粘着テープを切断する刃（６）と、粘着テープがつきにくい素材でできた、粘着テープを保持する支え（７）を設ける。支点軸（４）の上方に支点軸（８）を設け、支点軸（８）には、粘着テープを支える粘着テープがつきにくい素材でできた支え（９）を設ける。支点軸（８）の上方に支点軸（１０）を設け、支点軸（１０）にぶら下がる形で粘着テープを押さえるためのコマ（１１）を設ける。コマ（１１）の上方には、コマ（１１）の回転を制限するためのストッパー（１２）を設ける。コマ（１１）には、永久磁石（１３）を設け、永久磁石（１３）と引き合う形でアーム（５）には永久磁石（１４）を設ける。アーム（５）の下方にアーム（５）の回転を制限するための支点軸（１５）を設け、支点軸（１５）に支点軸（１５）を中心に回転するコマ（１６）を設ける。コマ（１６）には、互いに引き合う形で永久磁石（１７）と永久磁石（１８）を設け、支点軸（１５）が架台（１）の外側に出た部分にツマミ（１９）を設ける。粘着テープ（２０）はコマ（１１）と支え（９）の間を通して刃（６）で切断する。
本発明は以上のような構造である。
これを使用するときは、普段は、図２のように、永久磁石（１４）と永久磁石（１７）が引き合うことでアーム（５）がコマ（１６）に固定され、一般的に普及している普通のテープカッターと同様の使い方で使用できる。折り返しを作るときは、アーム（５）の先端に指を掛けて上方に持ち上げると、永久磁石（１４）は永久磁石（１３）の磁界に入り、引き合うことで、図３のように、支え（７）とコマ（１１）の間に粘着テープのループ（２１）ができる。図４のように、粘着テープのループ（２１）をつまんで引くと、コマ（１１）が持ち上げられることで、永久磁石（１４）が永久磁石（１３）の磁界から外れて、アーム（５）が重力により下方に下がり、図５のように、自由な長さで粘着テープを刃（６）で切断することができ、粘着テープ（２０）の一部分を折り返したテープ片ができる。
その際、再びアーム（５）は永久磁石（１４）と永久磁石（１７）が引き合うとで、コマ（１６）に固定され、図２のような、元の普通のテープカッターの状態にもどる。
連続して、自動的に粘着テープの一部分の折り返しを行いたい場合は、ツマミ（１９）を回しコマ（１６）を半回転させる。
今度は永久磁石（１８）と永久磁石（１４）が反発することで、アーム（５）を跳ね上げ、永久磁石（１４）と永久磁石（１３）が引き合い、図３の状態となり、支え（７）とコマ（１１）の間に粘着テープのループ（２１）ができる。粘着テープのループ（２１）をつまんで引くと、図４のように、コマ（１１）が持ち上げられ、永久磁石（１３）と永久磁石（１４）が離れてアーム（５）が下方に下がる。着テープのループ（２１）を引きながらアーム（５）をさらに押し下げ、図５のように、刃（６）で切断すると、アーム（５）はコマ（１６）に一度は接するが、永久磁石（１８）と永久磁石（１４）が反発するので、すぐにアーム（５）を跳ね上げ、再び支え（７）とコマ（１１）の間に粘着テープのループ（２１）が形成され、図３の状態にもどる。
このように、粘着テープをつまんで引き、切断する動作を繰り返すだけで、連続してテープの端を折り返すことができるテープカッターになる。
【符号の説明】
【０００９】１  架台
２  支点軸
３  リール
４  支点軸
５  アーム
６  刃
７  支え
８  支点軸
９  支え
１０  支点軸
１１  コマ
１２  ストッパー
１３  永久磁石
１４  永久磁石
１５  支点軸
１６  コマ
１７  永久磁石
１８  永久磁石
１９  ツマミ
２０  粘着テープ
２１  粘着テープのループ
【図１】
2015160746.tif 000003
【図２】
2015160746.tif 000004
【図３】
2015160746.tif 000005
【図４】
2015160746.tif 000006
【図５】
2015160746.tif 000007
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
架台（１）の一端に支点軸（２）を設け、支点軸（２）を中心に回転する粘着テープ（２０）を支えるリール（３）を設け、
支点軸（２）と反対側の架台（１）に支点軸（４）を設け、支点軸（４）には支点軸（４）を中心に回転するアーム（５）を設け、アーム（５）の先端に粘着テープ（２０）を切断する刃（６）と粘着テープ（２０）がつきにくい素材でできた粘着テープ（２０）を保持する支え（７）を設け、
支点軸（４）の上方の架台（１）に支点軸（８）を設け、支点軸（８）には粘着テープ（２０）を支える粘着テープ（２０）がつきにくい素材でできた支え（９）を設け、
支点軸（８）の上方の架台（１）に支点軸（１０）を設け、支点軸（１０）には支点軸（１０）を中心に回転し支え（９）との間で粘着テープ（２０）を押さえるコマ（１１）を設け、
コマ（１１）の上方の架台（１）にはコマ（１１）の回転を制限するストッパー（１２）を設け、
コマ（１１）には永久磁石（１３）を設け、永久磁石（１３）と引き合う形でアーム（５）に永久磁石（１４）を設け、
アーム（５）の下方の架台（１）にはアーム（５）の回転を制限する支点軸（１５）を設け、支点軸（１５）には支点軸（１５）を中心に回転するコマ（１６）を設け、
コマ（１６）には、互いに引き合う形で永久磁石（１７）と永久磁石（１８）を設け、永久磁石（１７）は永久磁石（１４）と引き合う形でコマ（１６）に設けるとともに永久磁石（１８）は永久磁石（１４）と反発する形でコマ（１６）に設け、
支点軸（１５）が架台（１）の外側に出た部分にコマ（１６）を回転させるツマミ（１９）を設け、
ツマミ（１９）で回転したコマ（１６）の永久磁石（１７）がアーム（５）の永久磁石（１４）と引き合う形では、粘着テープ（２０）を切断した後にコマ（１６）に接しているアーム（５）を指で上方に持ち上げることで、アーム（５）の永久磁石（１４）とコマ（１１）の永久磁石（１３）の磁力によりアーム（５）が支え（９）を挾んでコマ（１１）に接して、支え（７）とコマ（１１）の間に粘着テープ（２０）を折り返したループ（２１）を作り、
ツマミ（１９）で回転したコマ（１６）の永久磁石（１８）がアーム（５）の永久磁石（１４）と反発する形では、粘着テープ（２０）を切断した後にコマ（１６）からアーム（５）が跳ね上げられることで、アーム（５）の永久磁石（１４）とコマ（１１）の永久磁石（１３）の磁力によりアーム（５）が支え（９）を挾んでコマ（１１）に接して、支え（７）とコマ（１１）の間に粘着テープ（２０）を折り返したループ（２１）を作ることを特徴とする折り返しテープカッター。
【手続補正２】
【補正対象書類名】明細書
【補正対象項目名】全文
【補正方法】変更
【補正の内容】
【発明の詳細な説明】
【技術分野】
【０００１】
この発明は、粘着テープを剥がしやすくするために、粘着テープの一部分を折り返すことができる折り返しテープカッターに関するものである。
【背景技術】
【０００２】
粘着テープという道具は便利であり、広く使用されている。しかしながら、いざ粘着テープを剥がすとなると剥がしにくく、剥がしやすくするために、粘着テープの一部分を折り返してから貼る人も多い。
【先行技術文献】
【特許文献】
【０００３】
【特許文献１】特開２００２−１４５５１１
【発明の概要】
【発明が解決しようとする課題】
【０００４】
（イ）書店や衣料品店など、ビニール系の袋で包装する店舗は多い。しかし、商品購入後、袋を開ける際に、袋を止めている粘着テープがはがしにくく、袋を破ってしまったり、ビニール袋が粘着テープと一緒に伸びたりして開けにくい。顧客サービスを重視する店などは、袋を粘着テープで止める際に粘着テープを折り返してお客が剥がしやすくしている店もある。しかしながら、全ての客にこれを行うには大変な手間である。
（ロ）これまで、粘着テープの一端を折り返すテープカッターは多く特許申請がなされているが、広く普及したものはない。前記の特開２００２−１４５５１１は、シンプルであるが常に粘着テープが折り返され、折り返さない普通のテープカッターに切り替えることができない。
そこで、本発明の解決しようとする課題は、一般に普及しているテープカッターと同様に使え、粘着テープを剥がしやすくするときは、粘着テープの一部分を、折り返すことができ、また連続して折り返しが必要なときはスイッチひとつの切り替えで、粘着テープを切断するたびにテープの一部分を、折り返すことができる、シンプルで製造コストの小さい、電力などの動力も必要としない、折り返しテープカッターを開発することである。
【課題を解決するための手段】
【０００５】
本発明は、架台（１）の一端に支点軸（２）を設け、支点軸（２）を中心に回転する粘着テープ（２０）を支えるリール（３）を設け、支点軸（２）と反対側の架台（１）に支点軸（４）を設け、支点軸（４）には支点軸（４）を中心に回転するアーム（５）を設け、アーム（５）の先端に粘着テープ（２０）を切断する刃（６）と粘着テープ（２０）がつきにくい素材でできた粘着テープ（２０）を保持する支え（７）を設け、支点軸（４）の上方の架台（１）に支点軸（８）を設け、支点軸（８）には粘着テープ（２０）を支える粘着テープ（２０）がつきにくい素材でできた支え（９）を設け、支点軸（８）の上方の架台（１）に支点軸（１０）を設け、支点軸（１０）には支点軸（１０）を中心に回転し支え（９）との間で粘着テープ（２０）を押さえるコマ（１１）を設け、コマ（１１）の上方の架台（１）にはコマ（１１）の回転を制限するストッパー（１２）を設け、コマ（１１）には永久磁石（１３）を設け、永久磁石（１３）と引き合う形でアーム（５）に永久磁石（１４）を設け、アーム（５）の下方の架台（１）にはアーム（５）の回転を制限する支点軸（１５）を設け、支点軸（１５）には支点軸（１５）を中心に回転するコマ（１６）を設け、コマ（１６）には、互いに引き合う形で永久磁石（１７）と永久磁石（１８）を設け、永久磁石（１７）は永久磁石（１４）と引き合う形でコマ（１６）に設けるとともに永久磁石（１８）は永久磁石（１４）と反発する形でコマ（１６）に設け、支点軸（１５）が架台（１）の外側に出た部分にコマ（１６）を回転させるツマミ（１９）を設け、ツマミ（１９）で回転したコマ（１６）の永久磁石（１７）がアーム（５）の永久磁石（１４）と引き合う形では、粘着テープ（２０）を切断した後にコマ（１６）に接しているアーム（５）を指で上方に持ち上げることで、アーム（５）の永久磁石（１４）とコマ（１１）の永久磁石（１３）の磁力によりアーム（５）が支え（９）を挾んでコマ（１１）に接して、支え（７）とコマ（１１）の間に粘着テープ（２０）を折り返したループ（２１）を作り、ツマミ（１９）で回転したコマ（１６）の永久磁石（１８）がアーム（５）の永久磁石（１４）と反発する形では、粘着テープ（２０）を切断した後にコマ（１６）からアーム（５）が跳ね上げられることで、アーム（５）の永久磁石（１４）とコマ（１１）の永久磁石（１３）の磁力によりアーム（５）が支え（９）を挾んでコマ（１１）に接して、支え（７）とコマ（１１）の間に粘着テープ（２０）を折り返したループ（２１）を作ることを特徴とする。粘着テープ（２０）はコマ（１１）と支え（９）の間を通して刃（６）で切断する。
本発明は、以上のような構成によりなる折り返しテープカッターである。
【発明の効果】
【０００６】
本発明の折り返しテープカッターは、普段は、図２のように、コマ（１６）の永久磁石（１７）とアーム（５）の永久磁石（１４）が磁力により引き合い、アーム（５）がコマ（１６）に接した状態で、一般的に普及している普通のテープカッターと同様の使い方で使用できる。
折り返しを作るときは、アーム（５）の先端部分を指で上方に持ち上げると、図３のように、アーム（５）の永久磁石（１４）とコマ（１１）の永久磁石（１３）が磁力により引き合い、アーム（５）が支え（９）を挾んでコマ（１１）に接して、支え（７）とコマ（１１）の間に粘着テープ（２０）のループ（２１）ができる。
図４のように、粘着テープ（２０）のループ（２１）をつまんで引くと、コマ（１１）が持ち上がることで、コマ（１１）の永久磁石（１３）からアーム（５）の永久磁石（１４）が離れ、アーム（５）が重力により下方に下がり、永久磁石（１４）と永久磁石（１７）の磁力によってアーム（５）が再びコマ（１６）に接して固定される。
図５のように、粘着テープ（２０）をアーム（５）の刃（６）で自由な長さに切断することで、一部分を折り返したループ（２１）を備える粘着テープ片ができ、図２と同じ、元の普通のテープカッターの状態に戻る。
このように、本発明の折り返しテープカッターは、必要な時にアーム（５）を指で持ち上げるだけで、粘着テープ（２０）の一部分を祈り返してループ（２１）を作ることができる。
また、本発明の折り返しテープカッターは、図２の状態においてツマミ（１９）を回し、コマ（１６）を半回転させると、今度はコマ（１６）の永久磁石（１８）とアーム（５）の永久磁石（１４）が反発して、アーム（５）を跳ね上げ、図３と同じ状態になり、支え（７）とコマ（１１）の間で粘着テープ（２０）のループ（２１）ができる。
粘着テープのループ（２１）をつまんで引くと、図４と同じ状態となり、コマ（１１）が持ち上がり、アーム（５）が下がる。
図５と同じように、粘着テープ（２０）を自由な長さで切断すると、アーム（５）はコマ（１６）に一度は接するが、永久磁石（１８）と永久磁石（１４）の磁力の反発で、すぐに跳ね上げられ、再び支え（７）とコマ（１１）の間に、粘着テープ（２０）のループ（２１）ができ、図３の状態となる。
このように、本発明の折り返しテープカッターは、粘着テープ（２０）を切断する動作を繰り返すだけで、粘着テープ（２０）の一部分を折り返したループ（２１）を備える粘着テープ片を連続して作ることができる。
【図面の簡単な説明】
【０００７】
【図１】本発明の折り返しテープカッターの斜視図である。
【図２】本発明の主要部分、普通のテープカッターと同じ状態の時の側面図である。
【図３】本発明の主要部分、粘着テープのループができた時の側面図である。
【図４】本発明の主要部分、粘着テープをつまんで引いた時の側面図である。
【図５】本発明の主要部分、粘着テープを切断する時の側面図である。
【発明を実施するための形態】
【０００８】
以下、本発明を実施するための形態について説明する。
【実施例】
【０００９】
折り返しテープカッターは、図１のように、架台（１）の一端に支点軸（２）を設け、支点軸（２）を中心に回転する粘着テープを支えるリール（３）を設ける。支点軸（２）と反対側の架台（２）には、支点軸（４）を設ける。支点軸（４）には、支点軸（４）を中心に半回転するアーム（５）を設ける。アーム（５）の先端には、粘着テープ（２０）を切断する刃（６）と、粘着テープ（２０）がつきにくい素材できた、粘着テープ（２０）を保持する支え（７）を設ける。
支点軸（４）の上方の架台（１）には、支点軸（８）を設ける。支点軸（８）には、粘着テープ（２０）を支える粘着テープ（２０）がつきにくい素材でできた支え（９）を設ける。支点軸（８）の上方の架台（１）には、支点軸（１０）を設ける。支点軸（１０）には、ぶら下がる形で粘着テープ（２０）を押さえるためのコマ（１１）を設ける。コマ（１１）の上方の架台（１）には、コマ（１１）の回転を制限するためのストッパー（１２）を設ける。
コマ（１１）の先端には、永久磁石（１３）を設ける。永久磁石（１３）と引き合う形で、アーム（５）の先端には永久磁石（１４）を設ける。アーム（５）の下方の架台（１）には、アーム（５）の回転を制限するための支点軸（１５）を設ける。支点軸（１５）には、支点軸（１５）を中心に回転するコマ（１６）を設ける。コマ（１６）には、互いに引き合う形で永久磁石（１７）と永久磁石（１８）を設ける。支点軸（１５）が架台（１）の外側に出た部分には、ツマミ（１９）を設ける。粘着テープ（２０）は、コマ（１１）と支え（９）の間を通して刃（６）で切断する。
本発明は以上のような構造である。
この折り返しテープカッターを使用するときは、普段は、図２のように、永久磁石（１４）と永久磁石（１７）が引き合うことでアーム（５）がコマ（１６）に固定され、一般的に普及している普通のテープカッターと同様の使い方で使用できる。
折り返しを作るときは、アーム（５）の先端に指を掛けて上方に持ち上げると、永久磁石（１４）は永久磁石（１３）の磁界に入り、引き合うことで、図３のように、支え（７）とコマ（１１）の間に粘着テープ（２０）のループ（２１）ができる。
図４のように、粘着テープ（２０）のループ（２１）をつまんで引くと、直線状になった粘着テープ（２０）によってコマ（１１）が持ち上げられることで、永久磁石（１４）が永久磁石（ｉ３）の磁界から外れて、アーム（５）が重力により下方に下がり、図５のように、自由な長さで粘着テープ（２０）を刃（６）で切断することができ、粘着テープ（２０）の一部分を祈り返したループ（２１）を備える粘着テープ片ができる。
その際、再びアーム（５）は永久磁石（１４）と永久磁石（１７）が引き合うことで、コマ（１６）に固定され、図２のような、元の普通のテープカッターの状態にもどる。
連続して、自動的に粘着テープ（２０）の一部分の折り返しを行いたい場合は、ツマミ（１９）を回しコマ（１６）を半回転させる。
今度は、永久磁石（１８）と永久磁石（１４）が反発することで、アーム（５）が跳ね上げられ、永久磁石（１４）と永久磁石（１３）が引き合い、図３の状態となり、支え（７）とコマ（１１）の間に粘着テープ（２０）のループ（２１）ができる。
粘着テープ（２０）のループ（２１）をつまんで引くと、図４のように、直線状になった粘着テープ（２０）によってコマ（１１）が持ち上げられ、永久磁石（１３）と永久磁石（１４）が離れてアーム（５）が下方に下がる。粘着テープ（２０）のループ（２１）を引きながら粘着テープ（２０）によってアーム（５）をさらに押し下げ、図５のように、粘着テープ（２０）を刃（６）で切断すると、ループ（２１）を備える粘着テープ片ができる。
アーム（５）は、コマ（１６）に一度は接するが、永久磁石（１８）と永久磁石（１４）が反発するので、すぐにアーム（５）が跳ね上げられ、再び支え（７）とコマ（１１）の間に粘着テープ（２０）のループ（２１）が形成され、図３の状態にもどる。
このように、折り返しテープカッターは、粘着テープ（２０）をつまんで引き、切断する動作を繰り返すだけで、連続して粘着テープ（２０）の端を折り返したループ（２１）を備える粘着テープ片を作ることができる。
【符号の説明】
【００１０】
１  架台
２  支点軸
３  リール
４  支点軸
５  アーム
６  刃
７  支え
８  支点軸
９  支え
１０  支点軸
１１  コマ
１２  ストッパー
１３  永久磁石
１４  永久磁石
１５  支点軸
１６  コマ
１７  永久磁石
１８  永久磁石
１９  ツマミ
２０  粘着テープ
２１  粘着テープのループ